(57)【要約】【課題】商品取引の仲介に際して、より信頼性の高い仲介システムを提供する。【解決手段】真贋判定付き取引仲介システム１は、商品Ｘの真贋判定結果として、少なくとも真贋判定ＯＫ情報、真贋判定ＮＧ情報、及び真贋判定不可情報のうちいずれかを出品者端末１０及び購入者端末２０に送信する構成であるため、購入者Ｂにとって、仲介者Ｄを介して真贋判定ＯＫ情報が得られた商品Ｘのみを入手（購入）することが可能となり、信頼性が非常に高い取引を行うことができる。【選択図】図２
2019061331.tif 000002
【特許請求の範囲】
【請求項１】
ネットワーク通信網にアクセス可能となっている出品者端末、購入者端末、及び管理サーバ部を備え、
前記ネットワーク通信網によって互いに接続された前記出品者端末、前記購入者端末、及び前記管理サーバ部には、
前記出品者端末から入力された、出品物としての商品にかかる商品情報が記憶される商品情報記憶手段と、
前記商品情報記憶手段が記憶する商品情報を前記購入者端末で閲覧可能とする商品情報開示手段と、
前記購入者端末から入力された、購入者が仮支払いを済ませたことを示す購入者仮支払情報を受信する購入者仮支払情報受信手段と、
前記購入者仮支払情報受信手段が受信した購入者仮支払情報に基づいて、当該購入者仮支払情報に対応する商品にかかる前記出品者端末に、商品の発送を促す商品発送依頼情報を送信する商品発送依頼情報送信手段と、
少なくとも前記商品発送依頼情報送信手段が商品発送依頼情報を送信した後に、当該商品発送依頼情報に対応する前記商品の真贋判定結果として、少なくとも真贋判定ＯＫ情報、真贋判定ＮＧ情報、及び真贋判定不可情報のうちいずれかを前記出品者端末及び前記購入者端末に送信する真贋判定結果情報送信手段と、
前記真贋判定結果情報送信手段が真贋判定ＯＫ情報を送信した場合に、前記購入者端末に、商品を購入者に発送した旨の第１の商品発送済み情報を送信する第１の商品発送済み情報送信手段と、
前記真贋判定結果情報送信手段が真贋判定ＮＧ情報を送信した場合に、前記購入者端末に、前記購入者仮支払情報受信手段が受信した購入者仮支払情報に基づいて返金した旨の第１の返金情報を送信する第１の返金情報送信手段と、
前記真贋判定結果情報送信手段が真贋判定不可情報を送信した場合に、前記購入者端末に、購入継続情報又は購入中止情報のいずれかが当該購入者端末から送信可能である旨の選択依頼情報を送信し、当該購入者端末から送信された購入継続情報又は購入中止情報を受信する選択依頼情報送受信手段と、
前記選択依頼情報送受信手段が、購入継続情報を受信した場合に前記購入者端末に商品を購入者に発送した旨の第２の商品発送済み情報を送信する第２の商品発送済み情報送信手段と、
前記選択依頼情報送受信手段が、購入中止情報を受信した場合に前記購入者端末に、前記購入者仮支払情報受信手段が受信した購入者仮支払情報に基づいて返金した旨の第２の返金情報を送信する第２の返金情報送信手段と、
前記第１の商品発送済み情報送信手段が前記第１の商品発送済み情報を送信した場合、又は前記第２の商品発送済み情報送信手段が前記第２の商品発送済み情報を送信した場合に、前記出品者端末に、出品者に代金を支払った旨の代金支払い情報を送信する代金支払い情報送信手段と、
前記第１の返金情報送信手段が前記第１の返金情報を送信した場合、又は前記第２の返金情報送信手段が前記第２の返金情報を送信した場合に、前記出品者端末に、商品を出品者に返送した旨の商品返送情報を送信する商品返送情報送信手段と、
を備えたことを特徴とする真贋判定付き取引仲介システム。
【請求項２】
前記ネットワーク通信網によって互いに接続された前記出品者端末、前記購入者端末、及び前記管理サーバ部は、
前記商品情報記憶手段が記憶した商品情報が、購入者端末で閲覧可能になった時からの経過時間に基づいて累積出品時間を算出する累積出品時間算出手段と、
前記累積出品時間算出手段が算出した累積出品時間が、予め定められた規定時間より長いか短いかを判定し、前記累積出品時間が前記規定時間より長い場合に、当該商品情報にかかる出品者端末に、仮の買取価格である仮買取価格情報を送信する仮買取価格情報送信手段と、
前記仮買取価格情報送信手段が仮買取価格情報を送信した場合に、前記出品者端末に、買取希望情報が当該出品者端末から送信可能である旨の出品者向け選択依頼情報を送信し、前記出品者端末から送信された買取希望情報を受信する買取希望情報送受信手段と、
前記買取希望情報送受信手段が買取希望情報を受信した場合に、当該商品情報にかかる商品と当該商品情報とを比較した結果として、査定情報を前記出品者端末に送信する査定情報送信手段と、
を備えた
請求項１に記載の真贋判定付き取引仲介システム。
【発明の詳細な説明】
【技術分野】
【０００１】
本発明は、例えばネットワーク通信網を用いて行われる個人間の商品取引において、当該商品取引を仲介する際に商品の真贋の判定も行う真贋判定付き取引仲介システムに関する。
【背景技術】
【０００２】
近年、インターネットの普及に伴い、インターネットを含む種々のネットワーク通信網を用いて個人間で商品取引が行われている。こうした取引においては、データ管理、商品の配送、又は入出金管理等を第三者が仲介して行うことで、販売者（出品者）や消費者（購入者）の負担を軽減しているシステムは既によく知られている。
【０００３】
例えば特許文献１には、指定された地域情報を指定された地域内の閲覧者のみ閲覧可能なように構成された取引支援システムが開示されている。
【先行技術文献】
【特許文献】
【０００４】
【特許文献１】特開２０１７−１３４７６７号公報
【発明の概要】
【発明が解決しようとする課題】
【０００５】
しかしながら、商品取引に際しては、購入者が希望したものとは異なる商品が届いたり、出品しても購入希望者が全く現れず、仲介手数料を無駄にしてしまったりする問題があった。
【０００６】
そこで本発明は、商品取引に際して、より信頼性が高く、より円滑な商品取引が実現可能な仲介システムを提供することを目的とする。
【課題を解決するための手段】
【０００７】
本発明は、ネットワーク通信網にアクセス可能となっている出品者端末、購入者端末、及び管理サーバ部を備え、前記ネットワーク通信網によって互いに接続された前記出品者端末、前記購入者端末、及び前記管理サーバ部には、前記出品者端末から入力された、出品物としての商品にかかる商品情報が記憶される商品情報記憶手段と、前記商品情報記憶手段が記憶する商品情報を前記購入者端末で閲覧可能とする商品情報開示手段と、前記購入者端末から入力された、購入者が仮支払いを済ませたことを示す購入者仮支払情報を受信する購入者仮支払情報受信手段と、前記購入者仮支払情報受信手段が受信した購入者仮支払情報に基づいて、当該購入者仮支払情報に対応する商品にかかる前記出品者端末に、商品の発送を促す商品発送依頼情報を送信する商品発送依頼情報送信手段と、少なくとも前記商品発送依頼情報送信手段が商品発送依頼情報を送信した後に、当該商品発送依頼情報に対応する前記商品の真贋判定結果として、少なくとも真贋判定ＯＫ情報、真贋判定ＮＧ情報、及び真贋判定不可情報のうちいずれかを前記出品者端末及び前記購入者端末に送信する真贋判定結果情報送信手段と、前記真贋判定結果情報送信手段が真贋判定ＯＫ情報を送信した場合に、前記購入者端末に、商品を購入者に発送した旨の第１の商品発送済み情報を送信する第１の商品発送済み情報送信手段と、前記真贋判定結果情報送信手段が真贋判定ＮＧ情報を送信した場合に、前記購入者端末に、前記購入者仮支払情報受信手段が受信した購入者仮支払情報に基づいて返金した旨の第１の返金情報を送信する第１の返金情報送信手段と、前記真贋判定結果情報送信手段が真贋判定不可情報を送信した場合に、前記購入者端末に、購入継続情報又は購入中止情報のいずれかが当該購入者端末から送信可能である旨の選択依頼情報を送信し、当該購入者端末から送信された購入継続情報又は購入中止情報を受信する選択依頼情報送受信手段と、前記選択依頼情報送受信手段が、購入継続情報を受信した場合に前記購入者端末に商品を購入者に発送した旨の第２の商品発送済み情報を送信する第２の商品発送済み情報送信手段と、前記選択依頼情報送受信手段が、購入中止情報を受信した場合に前記購入者端末に、前記購入者仮支払情報受信手段が受信した購入者仮支払情報に基づいて返金した旨の第２の返金情報を送信する第２の返金情報送信手段と、前記第１の商品発送済み情報送信手段が前記第１の商品発送済み情報を送信した場合、又は前記第２の商品発送済み情報送信手段が前記第２の商品発送済み情報を送信した場合に、前記出品者端末に、出品者に代金を支払った旨の代金支払い情報を送信する代金支払い情報送信手段と、前記第１の返金情報送信手段が前記第１の返金情報を送信した場合、又は前記第２の返金情報送信手段が前記第２の返金情報を送信した場合に、前記出品者端末に、商品を出品者に返送した旨の商品返送情報を送信する商品返送情報送信手段と、を備えたことを特徴とする真贋判定付き取引仲介システムである。
【０００８】
かかる構成にあって、購入者は、仲介者が実際の商品を真贋判定した上で発信した真贋判定ＯＫ情報に対応する商品のみを入手（購入）することができる。したがって、購入者にとっては、信頼性の非常に高い取引を行うことができる。仮に、購入者が偽の商品情報に基づいて購入を希望してしまったとしても、真贋判定の判定結果を受け取った上で購入者の意思に沿って確実に代金の返金を受け取ることができる。一方、出品者も、仲介者に商品を発送し、かつ仲介者を介して代金が支払われる構成であるため、購入者とのトラブルを回避することができる。さらに、仲介者にとっては、商品の受取作業や発送作業、あるいは代金の入金作業や代金の返金作業を確実かつ円滑に実行することができるという利点がある。
【０００９】
また、前記ネットワーク通信網によって互いに接続された前記出品者端末、前記購入者端末、及び前記管理サーバ部は、前記商品情報記憶手段が記憶した商品情報が、購入者端末で閲覧可能になった時からの経過時間に基づいて累積出品時間を算出する累積出品時間算出手段と、前記累積出品時間算出手段が算出した累積出品時間が、予め定められた規定時間より長いか短いかを判定し、前記累積出品時間が前記規定時間より長い場合に、当該商品情報にかかる出品者端末に、仮の買取価格である仮買取価格情報を送信する仮買取価格情報送信手段と、前記仮買取価格情報送信手段が仮買取価格情報を送信した場合に、前記出品者端末に、買取希望情報が当該出品者端末から送信可能である旨の出品者向け選択依頼情報を送信し、前記出品者端末から送信された買取希望情報を受信する買取希望情報送受信手段と、前記買取希望情報送受信手段が買取希望情報を受信した場合に、当該商品情報にかかる商品と当該商品情報とを比較した結果として、査定情報を前記出品者端末に送信する査定情報送信手段と、を備えた構成が提案される。
【００１０】
かかる構成とすることにより、出品者は、売れ残った商品に対して仲介者から仮の買取価格の提示を受けて、仲介者に買い取ってもらうか否かを検討する機会が得られる。したがって、出品者は、出品者の意思に沿って例えば安心して早期に現金化することも可能となる。
【発明の効果】
【００１１】
本発明の真贋判定付き取引仲介システムは、購入者及び出品者にとって信頼性の高い取引を提供することができ、しかも仲介者にとって円滑な取引を実行することができる優れた効果がある。
【図面の簡単な説明】
【００１２】
【図１】実施例１にかかる真贋判定付き取引仲介システムの構成を示す説明図である。
【図２】実施例１にかかる真贋判定付き取引仲介システムを用いた取引の流れを説明する説明図である。
【図３】実施例１にかかる取引の流れを時系列に沿って説明する図表である。
【図４】実施例１にかかる出品者端末及び購入者端末の表示画面を示す説明図である。
【図５】実施例１にかかる出品者端末及び購入者端末の表示画面を示す説明図である。
【図６】実施例１にかかる出品者端末及び購入者端末の表示画面を示す説明図である。
【図７】実施例２にかかる真贋判定付き取引仲介システムを用いた取引の流れを説明する説明図である。
【図８】実施例２にかかる取引の流れを時系列に沿って説明する図表である。
【図９】実施例２にかかる出品者端末の表示画面を示す説明図である。
【発明を実施するための形態】
【００１３】
以下、本発明の真贋判定付き取引仲介システムを具体化した実施例を詳細に説明する。なお、本発明は、下記に示す実施例に限定されることはなく、適宜設計変更が可能である。ところで、以下の説明のなかには、出品者、購入者、仲介者、及び決済代行者が例示されるが、それぞれ自然人であるか法人であるかによって本発明の技術的範囲に影響することはない。
【００１４】
〔実施例１〕
図１に従って、真贋判定付き取引仲介システム１（以下、システム１という）の概要について説明する。
システム１は、出品者Ａが所有する出品者端末１０と、購入者Ｂが所有する購入者端末２０と、決済処理等を代行する決済代行者Ｃが所有する決済サーバ部６０と、統括管理者となる仲介者Ｄが所有する管理サーバ部３０と、を少なくとも備えている。そして、出品者端末１０と、購入者端末２０と、決済サーバ部６０と、管理サーバ部３０とがネットワーク通信網５にアクセス可能となっており、これによって種々の情報データが互いに双方向に送受信可能となっている。なお、出品者端末１０や購入者端末２０は、携帯電話等の携帯端末や、パソコン等が含まれる。
【００１５】
次に、仲介者Ｄの管理サーバ部３０について詳述する。
管理サーバ部３０は、例えばＣＰＵによって構成された制御部４０と、例えばＲＡＭやＲＯＭによって構成された情報記憶部５０とを少なくとも備えている。そして、制御部４０は、出品者端末１０や購入者端末２０等に情報データを送信する機能を具備するとともに、出品者端末１０や購入者端末２０等からの情報データを受信して、受信した情報データを演算処理する機能を具備している。なお、出品者端末１０及び購入者端末２０には、管理サーバ部３０と情報通信接続可能なアプリケーションソフトが事前にインストールされている。
【００１６】
次に、本実施例における取引の流れ、及びシステム１において処理される制御内容を図２〜図６に従って説明する。特に図３では、図２で示される各取引の補足説明が示されている。
【００１７】
〔１〕図２に示すように、出品を希望する出品者Ａは、出品者端末１０を使って仲介者Ｄが運営する取引サイト上に出品物としての商品Ｘを出品する。具体的には、図４に示すように、出品者Ａの出品者端末１０における表示画面には、アプリケーションソフトが起動することで商品情報入力画面が表示される。この商品情報入力画面は、商品Ｘの商品名、希望売却価格、写真、又はコメント等の入力欄によって構成されており、各情報を入力して送信することによって商品Ｘの商品情報データが管理サーバ部３０の制御部４０に送信される。なお、出品者Ａが商品Ｘの写真を出品者端末１０に附属するカメラを機能を使って入力するに際し、出品者端末１０の画面上において撮影手順をメッセージ表示にて案内する撮影補助機能が付加されていてもよい。
【００１８】
一方、商品情報データを受信した制御部４０は、受信した商品情報データを情報記憶部５０に記憶保持する。そして、かかる商品情報データに基づいて、当該サイト上に商品Ｘをアップして、購入者端末２０を使って商品Ｘを閲覧できる状態とする。
【００１９】
〔２−１〕購入者Ｂの購入者端末２０における表示画面には、アプリケーションソフトが起動することで様々な商品が商品情報とともに閲覧可能となる。そして、図４に示すように、購入者Ｂが購入を希望する商品Ｘを選択すると、注文（決済）を実行するための購入希望入力画面が表示される。
【００２０】
〔２−２〕そして、購入者Ｂが画面上の購入ボタンを選択することで、購入者端末２０から購入者仮支払情報データが送信される。そして、制御部４０は商品Ｘの購入者仮支払情報データを受信する。ここで、購入者仮支払情報データには、購入者端末２０から送信された、購入希望商品が商品Ｘであるという情報の情報データに加えて、代金を決済代行者Ｃに入金したという情報の情報データが含まれている。
【００２１】
〔３〕決済代行者Ｃの決済サーバ部６０は、購入者端末２０から送信された商品Ｘの代金を入金した旨の情報データを受信し、そして、所定の決済システムを介して代金を受け取る。そしてさらに、決済サーバ部６０は、購入者Ｂから商品Ｘの代金が入金された旨の入金情報データを制御部４０に送信する。ここで、本発明にあっては、購入者Ｂが決済代行者Ｃに入金した状態を仮支払いした状態とし、この時点で実際には出品者Ａに代金は支払われていない状態に相当する。
【００２２】
〔４−１〕次に、制御部４０は、受信した購入者仮支払情報データ及び入金情報データに基づいて、商品Ｘを仲介者Ｄに向けて発送する旨の商品発送依頼情報データを出品者端末１０に送信する。
【００２３】
このとき、出品者端末１０の表示画面には、図４に示したように、商品Ｘの発送を促すメッセージが表示される。そして、出品者Ａは商品Ｘを仲介者Ｄに発送する。これとともに、購入者端末２０の表示画面には、商品Ｘが仲介者Ｄへ発送された旨のメッセージが表示される。
【００２４】
〔４−２〕一方、仲介者Ｄは、出品者Ａから発送された商品Ｘを受け取る。
【００２５】
〔５−１〕次いで仲介者Ｄは、商品Ｘに対して真贋の判定を行う。具体的には、商品情報データが蓄積された相場システムにログインし、システム内に登録・蓄積されている商品情報データ等の真贋判定ポイントや基準を確認した上で、該当商品Ｘの真贋に問題が無いかを判定する。
【００２６】
なお、真贋判定に際しては、より経験豊富な担当者にて再チェックを行う工程をさらに追加した構成としてもよい。
【００２７】
〔５−２〕そして、制御部４０は、商品Ｘの真贋判定結果として真贋判定ＯＫ情報データ、真贋判定ＮＧ情報データ、及び真贋判定不可情報データのいずれかを仲介者Ｄにより入力可能とする。なお、仲介者Ｄは、真贋判定した商品Ｘが商品情報に適合している場合に真贋判定ＯＫ情報を選択し、商品Ｘが商品情報に適合していない場合に真贋判定ＮＧ情報を選択し、商品Ｘの真贋判定が不可能な場合に真贋判定不可情報を選択する取り決めとしている。
【００２８】
〔５−３〕そして制御部４０は、真贋判定ＯＫ情報データ、真贋判定ＮＧ情報データ、及び真贋判定不可情報データのうちいずれかを出品者端末１０及び購入者端末２０に送信する。
【００２９】
〔６〕ここで、仲介者Ｄが真贋判定ＯＫ情報を選択することにより制御部４０から真贋判定ＯＫ情報データが送信された場合には、仲介者Ｄは商品Ｘを購入者Ｂに発送するとともに、制御部４０は、商品Ｘが購入者Ｂへ発送された旨の第１商品発送済み情報データを購入者端末２０に送信する。
【００３０】
このとき、購入者端末２０の表示画面には、図５（ａ）に示したように、商品Ｘの真贋判定の結果と、商品Ｘが購入者Ｂへ発送された旨のメッセージが表示される。
【００３１】
〔７〕また、制御部４０は、決済サーバ部６０に向けて、出品者Ａに対する代金支払いの実行を指示する情報データを送信する。そして、かかる情報データを決済サーバ部６０が受信すると、決済代行者Ｃは出品者Ａに商品Ｘの代金を所定の決済システムを介して支払う。これとともに、制御部４０は、決済代行者Ｃが出品者Ａに商品Ｘの代金を支払った旨の支払い情報データを受信するとともに、代金を出品者Ａに支払った旨の代金支払い情報データを出品者端末１０に送信する。
【００３２】
このとき、出品者端末１０の表示画面には、図５（ａ）に示したように、商品Ｘの真贋判定の結果と、商品Ｘを購入者Ｂへ発送中である旨と、代金の支払いが完了した旨が表示される。
【００３３】
〔６'〕また、仲介者Ｄが真贋判定ＮＧ情報を選択することにより制御部４０から真贋判定ＮＧ情報データが送信された場合には、仲介者Ｄは、商品Ｘを出品者Ａに返送する。そして、制御部４０は、商品Ｘを出品者Ａに返送した旨の商品返送情報データを出品者端末１０に送信する。
【００３４】
〔７'〕また、制御部４０は、決済サーバ部６０に向けて、購入者Ｂに対する返金の実行を指示する情報データを送信する。そして、かかる情報データを決済サーバ部６０が受信すると、決済代行者Ｃは購入者Ｂに所定の決済システムを介して返金を実行する。また、制御部４０は、商品Ｘに対応する購入者仮支払情報データ及び入金情報データに基づいて出品者Ａへ返金した旨の第１返金情報データを購入者端末２０に送信する。
【００３５】
このとき、出品者端末１０の表示画面には、図５（ｂ）に示したように、商品Ｘの真贋判定の結果と、商品Ｘを出品者Ａへ返送した旨が表示される。また、購入者端末２０の表示画面には、図５（ｂ）に示したように、商品Ｘの真贋判定の結果と、代金を購入者Ｂへ返金した旨が表示される。
【００３６】
〔８〕また、仲介者Ｄが真贋判定不可情報を選択することにより真贋判定不可情報データが送信された場合には、制御部４０は、購入継続情報データ又は購入中止情報データを購入者端末２０に送信する。
【００３７】
このとき、購入者端末２０の表示画面には、図６（ａ）に示したように、商品Ｘの真贋判定の結果が表示されるとともに、商品Ｘを購入する購入継続情報データを送信するための購入ボタンと、商品Ｘの購入を取りやめる購入中止情報データを送信するための中止ボタンとを選択できるようになる。なお、制御部４０は、購入継続情報データ及び購入中止情報データを受信することができる。
【００３８】
〔６，７〕ここで、購入者Ｂが購入継続情報を選択することにより制御部４０が購入継続情報データを受信した場合には、仲介者Ｄが商品Ｘを購入者Ｂに発送するとともに、制御部４０が、商品Ｘを購入者Ｂに発送した旨の第２商品発送済み情報データを購入者端末２０に送信する。また、制御部４０は、決済サーバ部６０に向けて、出品者Ａに対する代金支払いの実行を指示する情報データを送信する。そして、かかる情報データを決済サーバ部６０が受信すると、決済代行者Ｃは出品者Ａに商品Ｘの代金を所定の決済システムを介して支払う。さらに、決済代行者Ｃが出品者Ａに商品Ｘの代金を支払った旨の支払い情報データを制御部４０が受信すると、制御部４０は、出品者Ａに代金を支払った旨の代金支払い情報データを出品者端末１０に送信する。
【００３９】
このとき、出品者端末１０の表示画面には、図６（ａ）に示したように、商品Ｘを購入者Ｂへ発送し、代金の支払いが完了したことが表示される。また購入者端末２０の表示画面には、商品Ｘを購入者Ｂへ発送中であることが表示される。
【００４０】
〔６'，７' 〕また、購入者Ｂが購入中止情報を選択することにより制御部４０が購入中止情報データを受信した場合には、仲介者Ｄは商品Ｘを出品者Ａへ返送するとともに、制御部４０は、購入者Ｂから商品Ｘについて仮支払いされた旨の入金情報データに基づいて返金した旨の第２返金情報データを購入者端末２０に送信する。そして、決済代行者Ｃは購入者Ｂから受け取った商品Ｘの代金を購入者Ｂへ返金する。そして、制御部４０は、仲介者Ｄが商品Ｘを出品者Ａへ返品した旨の商品返品情報データを出品者端末１０に送信する。
【００４１】
このとき、出品者端末１０の表示画面には、図６（ｂ）に示したように、商品Ｘを出品者Ａへ返送したことが表示され、また購入者端末２０の表示画面には、代金が返金されたことが表示される。
【００４２】
なお、本発明にかかる商品情報は、商品情報データによって構成される。
本発明にかかる購入者仮支払情報は、購入者仮支払情報データによって構成される。
本発明にかかる商品発送依頼情報は、商品発送依頼情報データによって構成される。
本発明にかかる真贋判定ＯＫ情報は、真贋判定ＯＫ情報データによって構成される。
本発明にかかる真贋判定ＮＧ情報は、真贋判定ＮＧ情報データによって構成される。
本発明にかかる真贋判定不可情報は、真贋判定不可情報データによって構成される。
本発明にかかる第１の商品発送済み情報は、第１商品発送済み情報データによって構成される。
本発明にかかる第１の返金情報は、第１返金情報データによって構成される。
本発明にかかる購入継続情報は、購入継続情報データによって構成される。
本発明にかかる購入中止情報は、購入中止情報データによって構成される。
本発明にかかる第２の商品発送済み情報は、第２商品発送済み情報データによって構成される。
本発明にかかる第２の返金情報は、第２返金情報データによって構成される。
本発明にかかる代金支払い情報は、代金支払い情報データによって構成される。
本発明にかかる商品返品情報は、商品返品情報データによって構成される。
【００４３】
また、本発明にかかる商品情報記憶手段は、情報記憶部５０に商品Ｘの商品情報データを記憶する制御内容を具備する管理サーバ部３０の制御部４０によって構成される。
本発明にかかる商品情報開示手段は、情報記憶部５０に記憶された商品Ｘの商品情報データを購入者端末２０に送信し、購入者端末２０の表示画面に商品情報等を表示する制御内容を具備する管理サーバ部３０の制御部４０によって構成される。
本発明にかかる購入者仮支払情報受信手段は、購入者端末２０を介して購入希望商品が商品Ｘであるという情報データと代金を決済代行者Ｃに入金したという情報データを受信する制御内容を具備する管理サーバ部３０の制御部４０によって構成される。
本発明にかかる商品発送依頼情報送信手段は、出品者端末１０に商品発送依頼情報データを送信する制御内容を具備する管理サーバ部３０の制御部４０によって構成される。
本発明にかかる真贋判定結果情報送信手段は、出品者端末１０及び購入者端末２０に真贋判定ＯＫ情報データ、真贋判定ＮＧ情報データ、及び真贋判定不可情報データのうちいずれかを送信する制御内容を具備する管理サーバ３０の制御部４０によって構成される。
本発明にかかる第１の商品発送済み情報送信手段は、第１商品発送済み情報データを購入者端末２０に送信する制御内容を具備する管理サーバ３０の制御部４０によって構成される。
本発明にかかる第１の返金情報送信手段は、購入者Ｂから商品Ｘの代金を受け取った旨の入金情報データに基づいて返金した旨の第１返金情報データを購入者端末２０に送信する制御内容を具備する管理サーバ３０の制御部４０によって構成される。
本発明にかかる選択依頼情報送受信手段は、購入継続情報データ又は購入中止情報データを購入者端末２０に送信するとともに、購入者Ｂが選択した購入継続情報データ又は購入中止情報データを受信する制御内容を具備する管理サーバ３０の制御部４０によって構成される。
本発明にかかる第２の商品発送済み情報送信手段は、購入継続情報データを受信した場合に購入者端末２０に商品Ｘを購入者Ｂに発送した旨の第２商品発送済み情報データを送信する制御内容を具備する管理サーバ３０の制御部４０によって構成される。
本発明にかかる第２の返金情報送信手段は、購入中止情報データを受信した場合に購入者端末２０に購入者Ｂから商品Ｘの代金を受け取った旨の入金情報データに基づいて返金した旨の第２返金情報データを購入者端末２０に送信する制御内容管理サーバ３０の制御部４０によって構成される。
本発明にかかる代金支払い情報送信手段は、出品者端末１０に代金を支払った旨の代金支払い情報データを送信する制御内容を具備する管理サーバ３０の制御部４０によって構成される。
本発明にかかる商品返品情報送信手段は、仲介者Ｄによって商品Ｘを出品者Ａへ返品した旨の商品返品情報データを出品者端末１０に送信する制御内容を具備する管理サーバ３０の制御部４０によって構成される。
【００４４】
本実施例においては、商品Ｘを出品者Ａから購入者Ｂへ直接発送するのではなく、仲介者Ｄが一旦出品者Ａから商品Ｘを受け取り、真贋判定した結果、真贋判定ＯＫと判定された信用できる商品である場合に購入者Ｂへ商品Ｘを発送して出品者Ａに代金を支払う構成である。従って信頼できる取引が実現可能となる。
【００４５】
また、仲介者Ｄによって真贋判定ＮＧと判定された場合、購入者Ｂに代金が返金されるため、購入者Ｂは安心して様々な商品を購入する意思表示を行うことができる。また、出品者Ａに対しても、真贋判定ＮＧと判定された商品Ｘが返送されるため、出品を見送るか価格を変更して再度出品するか等の判断を行うことができる。
【００４６】
さらに、仲介者Ｄによって真贋判定不可と判定された場合、購入者Ｂは自分の意思で購入するか購入を取りやめるかの判断をすることができるため、購入者Ｂの意思を尊重した取引を行うことができる。
【００４７】
なお、本実施例において、商品Ｘを受け取った購入者Ｂは、受け取った商品Ｘに関するコメント情報データを管理サーバ部３０へ入力することができるようにしてもよい。この場合、出品者Ａの出品する商品に対する信頼度や様々な商品の相場データ等を管理サーバ部の情報記憶部５０へ蓄積・更新することができ、システム１の取り扱う情報の正確さを向上させることができる。
【００４８】
また、真贋判定ＮＧと判定された商品の出品頻度によって出品者Ａの出品を所定期間停止したり、管理サーバ部３０へのアクセスを禁止したりすることもできる。これによってシステム１を使用する購入者Ｂへの信頼度を一層向上させることができる。
【００４９】
また、決済システムとしては、公知の決済システムが好適に採用可能である。例えば、クレジットカード決済と、コンビニ決済と、ペイジー決済とが選択できる注文後決済代行システムが好ましい。
【００５０】
〔実施例２〕
上記の実施例１において、出品者Ａが商品Ｘを出品しても、購入者がなかなか現れないことがある。そのような場合、仲介者Ｄが商品Ｘを買い取ることができる構成が提案される。本実施例における買い取りの流れを図７〜図９に従って説明する。特に図８では、図７で示される各取引の補足説明が示されている。
【００５１】
制御部４０は、商品Ｘが購入者端末２０で閲覧可能になった時からの経過時間に基づいて累積出品時間を算出する。また、情報記憶部５０には、システム１において予め定められた規定時間が記憶保持されている。
【００５２】
〔９〕具体的に制御部４０では、所定の時間間隔で繰り返し実行されるメインルーチン処理のなかで、出品されている全商品の累積出品時間と前記規定時間とを対比し、各商品の累積出品時間が規定時間より長いかあるいは短いかを判定する。
【００５３】
出品者Ａが出品した商品Ｘの累積出品時間が規定時間よりも長いと判定した場合、制御部４０は、出品者Ａの出品者端末１０に、仮の買取価格である仮買取価格情報データを送信する。また、制御部４０は、出品者端末１０に向けて、仮の買取価格での買い取りに同意する場合には買取を希望する買取希望情報データを送信可能である旨の出品者向け選択依頼情報データを送信する。
【００５４】
このとき、出品者端末１０の表示画面には、図９に示したように、仮の買取価格が表示されるとともに、買取希望情報データを送信するための承諾ボタンが表示される。
【００５５】
〔１０〕出品者Ａが、表示された仮の買取価格を参照して承諾ボタンを選択した場合、制御部４０は出品者端末１０から送信された買取希望情報データを受信する。このとき、出品者端末１０の表示画面には、図９に示したように、商品Ｘを仲介者Ｄに発送を促すメッセージが表示される。そして、出品者Ａは商品Ｘを仲介者Ｄに発送する。
【００５６】
〔１１〕仲介者Ｄは、到着した商品Ｘについて真贋判定する。具体的には、商品情報データが蓄積された相場システムにログインし、システム内に登録・蓄積されている商品情報データ等の真贋判定ポイントや基準を確認した上で、正規の買取価格である査定価格を含む査定情報データを管理サーバ部３０へ入力する。
【００５７】
〔１２〕制御部４０は、入力された査定情報データを出品者端末１０に送信する。このとき、出品者端末１０の表示画面には、図９に示したように、商品Ｘの査定価格が表示されるとともに、査定価格で買い取りを希望する場合には同意情報データを送信することのできる承諾ボタンが表示される。また、制御部４０は、査定情報データに含まれる査定価格に応じて仲介者Ｄが商品Ｘを買い取ることに同意する場合には、買い取りに同意する同意情報データを送信可能である旨の最終確認データを出品者端末１０へ送信する。
【００５８】
〔１３−１〕出品者Ａが、表示された査定価格を参照して承諾ボタンを選択した場合、制御部４０は、出品者端末１０から同意情報データを受信する。
【００５９】
〔１３−２〕そして、制御部４０が同意情報データを受信すると、仲介者Ｄは出品者Ａへ査定価格に応じた代金を支払う。
【００６０】
このとき、出品者端末１０の表示画面には、図９に示したように、商品Ｘの代金が支払われたことが表示される。
【００６１】
なお、本発明にかかる仮買取価格情報は、仮買取価格情報データによって構成される。
本発明にかかる出品者向け選択依頼情報は、出品者向け選択依頼情報データによって構成される。
本発明にかかる買取希望情報は、買取希望情報データによって構成される。
本発明にかかる査定情報は、査定情報データによって構成される。
【００６２】
また、本発明にかかる累積出品時間算出手段は、管理サーバ部３０の情報記憶部５０が記憶した商品情報データが、購入者端末２０で閲覧可能になった時からの経過時間に基づいて累積出品時間を算出する制御内容によって構成される。
本発明にかかる仮買取価格情報送信手段は、商品Ｘの累積出品時間が規定時間よりも長い場合に、管理サーバ部３０の制御部４０が商品Ｘを出品した出品者Ａの出品者端末１０に、仮の買取価格である仮買取価格情報データを送信する制御内容によって構成される。
本発明にかかる買取希望情報送受信手段は、管理サーバ部３０の制御部４０が出品者端末１０に買取希望情報データを送信可能である旨の出品者向け選択依頼情報データを送信し、出品者端末１０から買取希望情報データを受信する制御内容によって構成される。
本発明にかかる査定情報送信手段は、管理サーバ部３０の制御部４０が査定価格を含む査定情報データを出品者端末１０へ送信する制御内容によって構成される。
【００６３】
実施例２においては、出品者Ａが出品した商品Ｘが売れ残った場合、仲介者Ｄが買い取ることで早期に現金化することができる利点がある。また、仲介者Ｄが買い取りを実行する場合、仮の買取価格、及び査定価格を見た上で出品者Ａは買い取りに同意するか否かを判断することができるため、出品者Ａは安心して仲介者Ｄに買い取りを依頼することができる。
【００６４】
ここで、予め定められる規定時間は、出品者Ａが商品Ｘの出品の際に決定する構成としてもよいし、仲介者Ｄが決定する構成としてもよい。
【００６５】
また、所定の時間が経過したら商品Ｘの出品を取りやめることができるようにしてもよい。この場合、商品Ｘの出品情報データを購入者Ｂが閲覧できなくなる構成としてもよいし、出品情報データを情報記憶部５０から削除する構成としてもよい。
【００６６】
また、実施例１，２において、出品者Ａへの代金の支払いタイミングは、購入者Ｂが商品Ｘを受け取り、かつ出品者Ａの評価を行い、そして出品者Ａが購入者Ｂの評価を行った後とするようにしてもよい。
【００６７】
なお、実施例１の構成に対して全ての出品物に対して実施例２の構成を自動で実行する構成としてもよいし、出品者Ａの選択によって実施例２の構成を実行するようにしてもよい。勿論、実施例１の構成のみを実行するようにしてもよい。また、実施例１の構成を実行するか否かを購入者Ｂが選択できるようなシステムとしてもよい。
【符号の説明】
【００６８】
１          真贋判定付き取引仲介システム
５          ネットワーク通信網
１０        出品者端末
２０        購入者端末
３０        管理サーバ部
Ａ          出品者
Ｂ          購入者
Ｄ          仲介者
【図１】
2019061331.tif 000003
【図２】
2019061331.tif 000004
【図３】
2019061331.tif 000005
【図４】
2019061331.tif 000006
【図５】
2019061331.tif 000007
【図６】
2019061331.tif 000008
【図７】
2019061331.tif 000009
【図８】
2019061331.tif 000010
【図９】
2019061331.tif 000011
【手続補正書】
【提出日】平成30年11月19日(2018.11.19)
【手続補正１】
【補正対象書類名】特許請求の範囲
【補正対象項目名】請求項１
【補正方法】変更
【補正の内容】
【請求項１】
ネットワーク通信網にアクセス可能となっており、前記ネットワーク通信網によって互いに接続されている出品者端末、購入者端末、及び管理サーバ部を備え、
前記管理サーバ部は、
前記出品者端末から入力された、出品物としての商品にかかる商品情報が記憶される商品情報記憶手段と、
前記商品情報記憶手段が記憶する商品情報を前記購入者端末で閲覧可能とする商品情報開示手段と、
前記購入者端末から入力された、購入者が仮支払いを済ませたことを示す購入者仮支払情報を受信する購入者仮支払情報受信手段と、
前記購入者仮支払情報受信手段が受信した購入者仮支払情報に基づいて、当該購入者仮支払情報に対応する商品にかかる前記出品者端末に、商品の発送を促す商品発送依頼情報を送信する商品発送依頼情報送信手段と、
少なくとも前記商品発送依頼情報送信手段が商品発送依頼情報を送信した後に、当該商品発送依頼情報に対応する前記商品の真贋判定結果として、真贋判定ＯＫ情報、真贋判定ＮＧ情報、及び真贋判定不可情報のうちいずれかを前記出品者端末及び前記購入者端末に送信する真贋判定結果情報送信手段と、
前記真贋判定結果情報送信手段が真贋判定ＯＫ情報を送信した場合に、前記購入者端末に、商品を購入者に発送した旨の第１の商品発送済み情報を送信する第１の商品発送済み情報送信手段と、
前記真贋判定結果情報送信手段が真贋判定ＮＧ情報を送信した場合に、前記購入者端末に、前記購入者仮支払情報受信手段が受信した購入者仮支払情報に基づいて返金した旨の第１の返金情報を送信する第１の返金情報送信手段と、
前記真贋判定結果情報送信手段が真贋判定不可情報を送信した場合に、前記購入者端末に、購入継続情報又は購入中止情報のいずれかが当該購入者端末から送信可能である旨の選択依頼情報を送信し、当該購入者端末から送信された購入継続情報又は購入中止情報を受信する選択依頼情報送受信手段と、
前記選択依頼情報送受信手段が、購入継続情報を受信した場合に前記購入者端末に商品を購入者に発送した旨の第２の商品発送済み情報を送信する第２の商品発送済み情報送信手段と、
前記選択依頼情報送受信手段が、購入中止情報を受信した場合に前記購入者端末に、前記購入者仮支払情報受信手段が受信した購入者仮支払情報に基づいて返金した旨の第２の返金情報を送信する第２の返金情報送信手段と、
前記第１の商品発送済み情報送信手段が前記第１の商品発送済み情報を送信した場合、又は前記第２の商品発送済み情報送信手段が前記第２の商品発送済み情報を送信した場合に、前記出品者端末に、出品者に代金を支払った旨の代金支払い情報を送信する代金支払い情報送信手段と、
前記第１の返金情報送信手段が前記第１の返金情報を送信した場合、又は前記第２の返金情報送信手段が前記第２の返金情報を送信した場合に、前記出品者端末に、商品を出品者に返送した旨の商品返送情報を送信する商品返送情報送信手段と、
を備え、
前記商品情報は、前記商品の写真と前記商品の説明文であることを特徴とする真贋判定付き取引仲介システム。
【手続補正２】
【補正対象書類名】明細書
【補正対象項目名】０００７
【補正方法】変更
【補正の内容】
【０００７】
本発明は、ネットワーク通信網にアクセス可能となっており、前記ネットワーク通信網によって互いに接続されている出品者端末、購入者端末、及び管理サーバ部を備え、前記管理サーバ部は、前記出品者端末から入力された、出品物としての商品にかかる商品情報が記憶される商品情報記憶手段と、前記商品情報記憶手段が記憶する商品情報を前記購入者端末で閲覧可能とする商品情報開示手段と、前記購入者端末から入力された、購入者が仮支払いを済ませたことを示す購入者仮支払情報を受信する購入者仮支払情報受信手段と、前記購入者仮支払情報受信手段が受信した購入者仮支払情報に基づいて、当該購入者仮支払情報に対応する商品にかかる前記出品者端末に、商品の発送を促す商品発送依頼情報を送信する商品発送依頼情報送信手段と、少なくとも前記商品発送依頼情報送信手段が商品発送依頼情報を送信した後に、当該商品発送依頼情報に対応する前記商品の真贋判定結果として、真贋判定ＯＫ情報、真贋判定ＮＧ情報、及び真贋判定不可情報のうちいずれかを前記出品者端末及び前記購入者端末に送信する真贋判定結果情報送信手段と、前記真贋判定結果情報送信手段が真贋判定ＯＫ情報を送信した場合に、前記購入者端末に、商品を購入者に発送した旨の第１の商品発送済み情報を送信する第１の商品発送済み情報送信手段と、前記真贋判定結果情報送信手段が真贋判定ＮＧ情報を送信した場合に、前記購入者端末に、前記購入者仮支払情報受信手段が受信した購入者仮支払情報に基づいて返金した旨の第１の返金情報を送信する第１の返金情報送信手段と、前記真贋判定結果情報送信手段が真贋判定不可情報を送信した場合に、前記購入者端末に、購入継続情報又は購入中止情報のいずれかが当該購入者端末から送信可能である旨の選択依頼情報を送信し、当該購入者端末から送信された購入継続情報又は購入中止情報を受信する選択依頼情報送受信手段と、前記選択依頼情報送受信手段が、購入継続情報を受信した場合に前記購入者端末に商品を購入者に発送した旨の第２の商品発送済み情報を送信する第２の商品発送済み情報送信手段と、前記選択依頼情報送受信手段が、購入中止情報を受信した場合に前記購入者端末に、前記購入者仮支払情報受信手段が受信した購入者仮支払情報に基づいて返金した旨の第２の返金情報を送信する第２の返金情報送信手段と、前記第１の商品発送済み情報送信手段が前記第１の商品発送済み情報を送信した場合、又は前記第２の商品発送済み情報送信手段が前記第２の商品発送済み情報を送信した場合に、前記出品者端末に、出品者に代金を支払った旨の代金支払い情報を送信する代金支払い情報送信手段と、前記第１の返金情報送信手段が前記第１の返金情報を送信した場合、又は前記第２の返金情報送信手段が前記第２の返金情報を送信した場合に、前記出品者端末に、商品を出品者に返送した旨の商品返送情報を送信する商品返送情報送信手段と、を備え、前記商品情報は、前記商品の写真と前記商品の説明文であることを特徴とする真贋判定付き取引仲介システムである。